(57)【要約】【課題】ＥＴＣ車載器をベースとしたＤＳＲＣ車載器において、マルチアプリケーションへの対応を実現すること。【解決手段】ＤＳＲＣ通信システム用のＤＳＲＣ車載器において、ＥＴＣ−ＳＡＭは、ＨＯＳＴと利用者情報が保持されたＩＣカードとの間で通信される通信信号に含まれるコマンドの種類を判定するコマンド判定手段と、コマンド判定手段の判定結果に応じて、このコマンドを解析するか否かを制御するコマンド制御手段とを備える。【選択図】　　　図３
2004062468.tif 000002
【特許請求の範囲】
【請求項１】
専用狭域通信（ＤＳＲＣ）による無線通信信号を処理するＤＳＲＣ処理手段と、
このＤＳＲＣ処理手段との間で通信される前記無線通信信号に含まれるＥＴＣコマンドおよびＥＴＣデータの授受を行うＥＴＣ処理手段と、
このＥＴＣ処理手段と利用者情報が保持されたＩＣカードとの間で通信される通信信号に含まれるＥＴＣデータの暗号化／復号化を行う暗号化／復号化手段を含むセキュリティ処理手段と、このセキュリティ処理手段と前記ＥＴＣ処理手段とが通信するためのホストインターフェースと、前記セキュリティ処理手段と前記ＩＣカードとが通信するためのＩＣカードインターフェースとを備えたセキュリティモジュールと、
を備えたＤＳＲＣ車載器において、
前記セキュリティ処理手段は、
前記ＥＴＣ処理手段と利用者情報が保持されたＩＣカードとの間で通信される通信信号に含まれるコマンドの種類を判定するコマンド判定手段と、
前記コマンド判定手段の判定結果に応じて、このコマンドを解析するか否かを制御するコマンド制御手段と、
を備えることを特徴とするＤＳＲＣ車載器。
【請求項２】
前記コマンド判定手段は、前記ＥＴＣ処理手段と利用者情報が保持されたＩＣカードとの間で通信される通信信号に含まれるコマンドが前記ＥＴＣコマンドであるか否かを判定し、
前記コマンド制御手段は、前記コマンド判定手段によって判定されたコマンドが前記ＥＴＣコマンドである場合には、このＥＴＣコマンドを解析して得られた実行コマンドを前記ＩＣカードに送信し、前記コマンド判定手段によって判定されたコマンドが前記ＥＴＣコマンドではない未定義コマンドである場合には、この未定義コマンドを解析することなく前記ＩＣカードに送信することを特徴とする請求項１に記載のＤＳＲＣ車載器。
【請求項３】
前記セキュリティ処理手段は、前記ＥＴＣ処理手段から送信されたモードエントリーコマンドに基づいて複数のモードを設定するモード設定手段をさらに備え、
前記複数のモードは、
前記ＥＴＣ処理手段から送信される通信信号に含まれるコマンドを解析し、かつ、前記ＥＴＣ処理手段と利用者情報が保持された前記ＩＣカードとの間で通信される通信信号に含まれる前記ＥＴＣデータの暗号化／復号化を行うＥＴＣモードと、
前記ＥＴＣ処理手段から送信される通信信号に含まれるコマンドが前記ＥＴＣコマンドではない未定義コマンドであると判定した場合に、この未定義コマンドを解析することなく前記ＩＣカードに送信する非ＥＴＣモードと、
を備えることを特徴とする請求項１または２に記載のＤＳＲＣ車載器。
【請求項４】
前記非ＥＴＣモードは、
前記ＥＴＣ処理手段からのデータの暗号化／復号化要求を受け、前記セキュリティ処理手段が前記データの暗号化／復号化を行い、前記ＥＴＣ処理手段に前記データの暗号化データ／復号化データを送信する暗号／復号モードと、
前記ＥＴＣ処理手段と前記ＩＣカードとのデータ通信に関してデータの信号形式の変換を行うシリアル−パラレル変換モードと、
を備えることを特徴とする請求項３に記載のＤＳＲＣ車載器。
【請求項５】
前記ＥＴＣ処理手段は、前記専用狭域通信（ＤＳＲＣ）に使用される周波数帯に基づいてアプリケーションを識別し、
前記モード設定手段は、前記ＥＴＣ処理手段から送信されるモードエントリーコマンドにしたがって識別された前記アプリケーションを実行する際に、前記ＥＴＣモード、前記暗号／復号モードおよび前記シリアル−パラレル変換モードのいずれか一つのモードを設定することを特徴とする請求項４に記載のＤＳＲＣ車載器。
【請求項６】
前記セキュリティ処理手段は、前記ＩＣカードが活性化されたか否かを検出するＩＣカード活性化検出手段をさらに備え、
前記ＥＴＣ処理手段は、前記ＩＣカード活性化検出手段から送信されたＩＣカード活性化信号に基づいてＩＣカードを識別し、
前記モード設定手段は、前記ＥＴＣ処理手段から送信されるモードエントリーコマンドにしたがって識別された前記ＩＣカードに対する処理を実行する際に、前記ＥＴＣモード、前記暗号／復号モードおよび前記シリアル−パラレル変換モードのいずれか一つのモードを設定することを特徴とする請求項４に記載のＤＳＲＣ車載器。
【請求項７】
専用狭域通信（ＤＳＲＣ）による無線通信信号を処理するＤＳＲＣ処理手段と、
このＤＳＲＣ処理手段との間で通信される前記無線通信信号に含まれるＥＴＣコマンドおよびＥＴＣデータの授受を行うＥＴＣ処理手段と、
このＥＴＣ処理手段と利用者情報が保持された第１のＩＣカードとの間で通信される通信信号に含まれるＥＴＣデータの暗号化／復号化を行う暗号化／復号化手段とを含むセキュリティ処理手段と、このセキュリティ処理手段と前記ＥＴＣ処理手段とが通信するためのホストインターフェースと、前記セキュリティ処理手段と前記第１のＩＣカードとが通信するための第１のＩＣカードインターフェースとを備えたセキュリティモジュールと、
前記第１のＩＣカードが挿入される第１のＩＣカードスロットと、
を備えたＤＳＲＣ車載器において、
前記セキュリティモジュールは、前記ＥＴＣ処理手段と第２のＩＣカードとが通信するための第２のＩＣカードインターフェースと、この第２のＩＣカードインターフェースと前記ホストインターフェースとの間に接続され、この第２のＩＣカードインターフェースとこのホストインターフェースとの間で通信信号の信号形式を変換する信号変換手段とを備え、
前記第２のＩＣカードが挿入される第２のＩＣカードスロットと、
を備えることを特徴とするＤＳＲＣ車載器。
【請求項８】
前記第２のＩＣカードスロットおよび前記第２のＩＣカードインターフェースはそれぞれ複数備えられ、これらの複数の前記第２のＩＣカードインターフェースがそれぞれ前記信号変換手段に接続されることを特徴とする請求項７に記載のＤＳＲＣ車載器。
【請求項９】
専用狭域通信（ＤＳＲＣ）による無線通信信号を処理するＤＳＲＣ処理手段と、
このＤＳＲＣ処理手段との間で通信される前記無線通信信号に含まれるＥＴＣコマンドおよびＥＴＣデータの授受を行うＥＴＣ処理手段と、
このＥＴＣ処理手段と利用者情報が保持されたＩＣカードとの間で通信される通信信号に含まれるＥＴＣデータの暗号化／復号化を行う暗号化／復号化手段を含むセキュリティ処理手段と、このセキュリティ処理手段と前記ＥＴＣ処理手段とが通信するためのホストインターフェースと、前記セキュリティ処理手段と前記ＩＣカードとが通信するための第１のＩＣカードインターフェースとを備えたセキュリティモジュールと、
前記ＩＣカードが挿入されるＩＣカードスロットと、
を備えたＤＳＲＣ車載器において、
前記セキュリティモジュールは、
前記ＥＴＣ処理手段と前記ＩＣカードとが通信するための第２のＩＣカードインターフェースと、
この第２のＩＣカードインターフェースと前記ホストインターフェースとの間に接続され、この第２のＩＣカードインターフェースとこのホストインターフェースとの間の通信信号の信号形式を変換する信号変換手段と、
を備え、
前記ＩＣカードスロットを前記第１のＩＣカードインターフェースおよび前記第２のＩＣカードインターフェースのいずれか一つに切り換えるスイッチを備えることを特徴とするＤＳＲＣ車載器。
【請求項１０】
専用狭域通信（ＤＳＲＣ）による無線通信信号を処理するＤＳＲＣ処理手段と、
このＤＳＲＣ処理手段との間で通信される前記無線通信信号に含まれるＥＴＣコマンドおよびＥＴＣデータの授受を行うＥＴＣ処理手段と、
このＥＴＣ処理手段と利用者情報が保持された第１のＩＣカードとの間で通信される通信信号に含まれるＥＴＣデータの暗号化／復号化を行う暗号化／復号化手段を含むセキュリティ処理手段と、このセキュリティ手段と前記ＥＴＣ処理手段とが通信するためのホストインターフェースと、前記セキュリティ処理手段と前記第１のＩＣカードとが通信するための第１のＩＣカードインターフェースとを備えたセキュリティモジュールと、
前記第１のＩＣカードが挿入される第１のＩＣカードスロットと、
を備えたＤＳＲＣ車載器において、
前記ＥＴＣ処理手段は、第２のＩＣカードと通信するための第２のＩＣカードインターフェースを備え、
前記第２のＩＣカードが挿入される第２のＩＣカードスロットを備えることを特徴とするＤＳＲＣ車載器。
【請求項１１】
汎用機器と通信するためのＵＳＢインターフェースおよび／またはブルートゥースインターフェースをさらに備えることを特徴とする請求項１〜１０のいずれか一つに記載のＤＳＲＣ車載器。
【発明の詳細な説明】
【０００１】
【発明の属する技術分野】
本発明は、マイクロコンピュータに関するものであり、特に、高速道路のノンストップ自動料金収受システム等のシステム制御などに用いられるＤＳＲＣ車載器に関するものである。
【０００２】
【従来の技術】
ノンストップ自動料金収受システム（Ｅｌｅｃｔｒｏｎｉｃ　Ｔｏｌｌ　Ｃｏｌｌｅｃｔｉｏｎ　ｓｙｓｔｅｍ：以下、「ＥＴＣシステム」という。）は、料金所ゲートに設置したアンテナと車両に装着した車載器との間で無線通信を用いて自動的に料金の支払いを行い、料金所ではクルマを停めずノンストップで通過することを実現したシステムである。このＥＴＣは、１枚のＥＴＣカードと１台の車載器で利用できる簡易なシステムであることから、ファーストフードショップでの買い物や大型遊園地での駐車場入退管理に利用するなどの動きが具体化しつつあり、今後のさらなる利用態様が期待されている。
【０００３】
図１３は、従来技術によるＤＳＲＣシステムの一つであるＥＴＣシステムの車両側に搭載されるＥＴＣ車載器の構成例を示すブロック図である。同図において、ＥＴＣ処理部であるＨＯＳＴ１２３は、空中線１２２およびＤＳＲＣ１２１を介してＥＴＣ車載器と道路側に設置される路側システム（図示せず）との間のＤＳＲＣ（Ｄｅｄｉｃａｔｅｄ　Ｓｈｏｒｔ　Ｒａｎｇｅ　Ｃｏｍｍｕｎｉｃａｔｉｏｎ：専用狭域通信）による無線通信を行い、図示しない路側システムとのデータ授受を行う。
【０００４】
ＥＴＣ−ＳＡＭ（Ｓｅｃｕｒｅ　Ａｐｐｌｉｃａｔｉｏｎ　Ｍｏｄｕｌｅ）１２４は、料金収受に必要な機能を提供し、データの暗号化／復号化を行う。また、ＨＯＳＴ１２３との間の通信インターフェースであるパラレルＩ／Ｆと、ＩＣカード１３１との間の通信インターフェースであるシリアルＩ／Ｆとの信号形式の変換、すなわちシリアル−パラレル変換を行う。
【０００５】
ＨＭＩ（ヒューマンマシンインターフェース）１２５は、人間と装置とのコミュニケーションのためのインターフェースを提供し、ＩＣカードインターフェース１２６は、ＩＣカード１３１が挿入され、このＩＣカード１３１とＥＴＣ−ＳＡＭ１２４とが通信を行うためのインターフェースを提供する。
【０００６】
図１４は、従来技術による路側システム、ＥＴＣ車載器、ＩＣカード間のコマンド処理シーケンスを示すシーケンス図であり、図１５は、従来技術によるＥＴＣ−ＳＡＭのコマンド応答のシーケンスを示すフローチャートである。図１４および図１５を用いて、ＨＯＳＴ、ＥＴＣ−ＳＡＭを介した路側システムとＩＣカードとの間のコマンド応答の流れについて説明する。
【０００７】
まず、路側システムからＥＴＣ車載器にプリミティブコマンド１５１が送信される。このとき、ＥＴＣ車載器はＩＣカード１３１に対する処理要求のために、ＨＯＳＴ１２３からＥＴＣ−ＳＡＭ１２４に対してＥＴＣコマンド１５２が送信され、ＥＴＣ−ＳＡＭ１２４はこのＥＴＣコマンド１５２を受信する（ステップＳ１０１）。つぎに、ＥＴＣ−ＳＡＭ１２４は受信したこのＥＴＣコマンド１５２を解析（ステップＳ１０２）し、ＩＣカード１３１に対して実行コマンド１５３を送信する（ステップＳ１０３）。ＩＣカード１３１はその処理結果をレスポンス１５４にてＥＴＣ−ＳＡＭ１２４に返送する（ステップＳ１０４）。最後に、ＥＴＣ−ＳＡＭ１２４は、その返送結果をＨＯＳＴ１２３に対してＮｏｔｉｆｙコマンド１５５により送信し（ステップＳ１０５）、路側システムとＩＣカード１３１との通信が完了する。
【０００８】
【発明が解決しようとする課題】
このように、従来のＤＳＲＣシステムの一例であるＥＴＣシステムでは、路側システムとＩＣカードとの通信は、ＥＴＣ−ＳＡＭが必ずＨＯＳＴからのＥＴＣコマンドを受信および解析する形で行われており、ＥＴＣ−ＳＡＭを必ず仲介しなければならなかった。
【０００９】
しかしながら、ＥＴＣシステムを利用して様々なアプリケーションを実行させるような場合であっても、このＥＴＣシステムが前述したようなＥＴＣ−ＳＡＭを必ず仲介しなければならない処理形式であるため、このＥＴＣシステムを用いて、ＥＴＣ−ＳＡＭの機能を必要としないアプリケーションを実行することができない、すなわちマルチアプリケーションに非対応という問題点があった。
【００１０】
一方、マルチアプリケーションに対応するために、すべてのコマンド（たとえば、ＥＴＣ仕様のコマンドまたはＥＴＣ仕様以外のコマンド）に対応する処理機能をＥＴＣ−ＳＡＭに持たせることによって、マルチアプリケーション対応を実現することも考えられるが、ＥＴＣ−ＳＡＭに搭載するプログラムの規模が莫大になるという問題点があった。また、通信手順の簡素化、通信時間の短縮化ができないという問題点もあった。
【００１１】
さらに、前述のＥＴＣ−ＳＡＭにすべてのコマンド処理機能を付加するような手法では、現時点で存在するアプリケーションには対応できても、新たに出現するアプリケーションには対応できないか、あるいはアプリケーションの出現の都度、ＥＴＣ−ＳＡＭに搭載したプログラムを書き換えなければならないという問題点があった。
【００１２】
本発明は、上記に鑑みてなされたものであって、マルチアプリケーションへの対応を実現しつつ、手順の簡素化、通信時間の短縮化を可能とするＤＳＲＣ車載器を得ることを目的とする。
【００１３】
【課題を解決するための手段】
上述した課題を解決し、目的を達成するために、本発明にかかるＤＳＲＣ車載器にあっては、専用狭域通信（ＤＳＲＣ）による無線通信信号を処理するＤＳＲＣ処理手段と、このＤＳＲＣ処理手段との間で通信される前記無線通信信号に含まれるＥＴＣコマンドおよびＥＴＣデータの授受を行うＥＴＣ処理手段と、このＥＴＣ処理手段と利用者情報が保持されたＩＣカードとの間で通信される通信信号に含まれるＥＴＣデータの暗号化／復号化を行う暗号化／復号化手段を含むセキュリティ処理手段と、このセキュリティ処理手段と前記ＥＴＣ処理手段とが通信するためのホストインターフェースと、前記セキュリティ処理手段と前記ＩＣカードとが通信するためのＩＣカードインターフェースとを備えたセキュリティモジュールとを備えたＤＳＲＣ車載器において、前記セキュリティ処理手段は、前記ＥＴＣ処理手段と利用者情報が保持されたＩＣカードとの間で通信される通信信号に含まれるコマンドの種類を判定するコマンド判定手段と、前記コマンド判定手段の判定結果に応じて、このコマンドを解析するか否かを制御するコマンド制御手段とを備えることを特徴とする。
【００１４】
この発明によれば、セキュリティ処理手段のコマンド判定手段は、ＥＴＣ処理手段と利用者情報が保持されたＩＣカードとの間で通信される通信信号に含まれるコマンドの種類を判定し、セキュリティ処理手段のコマンド制御手段は、コマンド判定手段の判定結果に応じて、このコマンドを解析するか否かを制御する。
【００１５】
つぎの発明にかかるＤＳＲＣ車載器にあっては、前記コマンド判定手段は、前記ＥＴＣ処理手段と利用者情報が保持されたＩＣカードとの間で通信される通信信号に含まれるコマンドが前記ＥＴＣコマンドであるか否かを判定し、前記コマンド制御手段は、前記コマンド判定手段によって判定されたコマンドが前記ＥＴＣコマンドである場合には、このＥＴＣコマンドを解析して得られた実行コマンドを前記ＩＣカードに送信し、前記コマンド判定手段によって判定されたコマンドが前記ＥＴＣコマンドではない未定義コマンドである場合には、この未定義コマンドを解析することなく前記ＩＣカードに送信することを特徴とする。
【００１６】
この発明によれば、コマンド判定手段は、ＥＴＣ処理手段と利用者情報が保持されたＩＣカードとの間で通信される通信信号に含まれるコマンドがＥＴＣコマンドであるか否かを判定し、コマンド制御手段は、このコマンド判定手段によって判定されたコマンドがＥＴＣコマンドである場合には、このＥＴＣコマンドを解析して得られた実行コマンドをＩＣカードに送信し、一方、コマンド判定手段によって判定されたコマンドがＥＴＣコマンドではない未定義コマンドである場合には、この未定義コマンドを解析することなくＩＣカードに送信する。
【００１７】
つぎの発明にかかるＤＳＲＣ車載器にあっては、前記セキュリティ処理手段は、前記ＥＴＣ処理手段から送信されたモードエントリーコマンドに基づいて複数のモードを設定するモード設定手段をさらに備え、前記複数のモードは、前記ＥＴＣ処理手段から送信される通信信号に含まれるコマンドを解析し、かつ、前記ＥＴＣ処理手段と利用者情報が保持された前記ＩＣカードとの間で通信される通信信号に含まれる前記ＥＴＣデータの暗号化／復号化を行うＥＴＣモードと、前記ＥＴＣ処理手段から送信される通信信号に含まれるコマンドが前記ＥＴＣコマンドではない未定義コマンドであると判定した場合に、この未定義コマンドを解析することなく前記ＩＣカードに送信する非ＥＴＣモードとを備えることを特徴とする。
【００１８】
この発明によれば、ＥＴＣモードと、非ＥＴＣモードとの複数のモードが備えられる。ＥＴＣモードは、ＥＴＣ処理手段から送信される通信信号に含まれるコマンドを解析し、かつ、ＥＴＣ処理手段と利用者情報が保持されたＩＣカードとの間で通信される通信信号に含まれるＥＴＣデータの暗号化／復号化を行い、非ＥＴＣモードは、ＥＴＣ処理手段から送信される通信信号に含まれるコマンドがＥＴＣコマンドではない未定義コマンドであると判定した場合に、この未定義コマンドを解析することなくＩＣカードに送信する。セキュリティ処理手段のモード設定手段は、ＥＴＣ処理手段から送信されたモードエントリーコマンドに基づいてこの複数のモードを設定する。
【００１９】
つぎの発明にかかるＤＳＲＣ車載器にあっては、前記非ＥＴＣモードは、前記ＥＴＣ処理手段からのデータの暗号化／復号化要求を受け、前記セキュリティ処理手段が前記データの暗号化／復号化を行い、前記ＥＴＣ処理手段に前記データの暗号化データ／復号化データを送信する暗号／復号モードと、前記ＥＴＣ処理手段と前記ＩＣカードとのデータ通信に関してデータの信号形式の変換を行うシリアル−パラレル変換モードとを備えることを特徴とする。
【００２０】
この発明によれば、非ＥＴＣモードの一方の暗号／復号モードは、ＥＴＣ処理手段からのデータの暗号化／復号化要求を受け、セキュリティ処理手段がデータの暗号化／復号化を行い、ＥＴＣ処理手段にデータの暗号化データ／復号化データを送信し、非ＥＴＣモードの他方のシリアル−パラレル変換モードは、ＥＴＣ処理手段とＩＣカードとのデータ通信に関してデータの信号形式の変換を行う。
【００２１】
つぎの発明にかかるＤＳＲＣ車載器にあっては、前記ＥＴＣ処理手段は、前記専用狭域通信（ＤＳＲＣ）に使用される周波数帯に基づいてアプリケーションを識別し、前記モード設定手段は、前記ＥＴＣ処理手段から送信されるモードエントリーコマンドにしたがって識別された前記アプリケーションを実行する際に、前記ＥＴＣモード、前記暗号／復号モードおよび前記シリアル−パラレル変換モードのいずれか一つのモードを設定することを特徴とする。
【００２２】
この発明によれば、ＥＴＣ処理手段は、専用狭域通信（ＤＳＲＣ）に使用される周波数帯に基づいてアプリケーションを識別し、セキュリティ処理手段のモード設定手段は、ＥＴＣ処理手段から送信されるモードエントリーコマンドにしたがって識別されたアプリケーションを実行する際に、ＥＴＣモード、暗号／復号モードおよびシリアル−パラレル変換モードのいずれか一つのモードを設定する。
【００２３】
つぎの発明にかかるＤＳＲＣ車載器にあっては、前記セキュリティ処理手段は、前記ＩＣカードが活性化されたか否かを検出するＩＣカード活性化検出手段をさらに備え、前記ＥＴＣ処理手段は、前記ＩＣカード活性化検出手段から送信されたＩＣカード活性化信号に基づいてＩＣカードを識別し、前記モード設定手段は、前記ＥＴＣ処理手段から送信されるモードエントリーコマンドにしたがって識別された前記ＩＣカードに対する処理を実行する際に、前記ＥＴＣモード、前記暗号／復号モードおよび前記シリアル−パラレル変換モードのいずれか一つのモードを設定することを特徴とする。
【００２４】
この発明によれば、セキュリティ処理手段のＩＣカード活性化検出手段は、ＩＣカードが活性化されたか否かを検出し、ＥＴＣ処理手段は、ＩＣカード活性化検出手段から送信されたＩＣカード活性化信号に基づいてＩＣカードを識別し、セキュリティ処理手段のモード設定手段は、ＥＴＣ処理手段から送信されるモードエントリーコマンドにしたがって識別されたＩＣカードに対する処理を実行する際に、ＥＴＣモード、暗号／復号モードおよびシリアル−パラレル変換モードのいずれか一つのモードを設定する。
【００２５】
つぎの発明にかかるＤＳＲＣ車載器にあっては、専用狭域通信（ＤＳＲＣ）による無線通信信号を処理するＤＳＲＣ処理手段と、このＤＳＲＣ処理手段との間で通信される前記無線通信信号に含まれるＥＴＣコマンドおよびＥＴＣデータの授受を行うＥＴＣ処理手段と、このＥＴＣ処理手段と利用者情報が保持された第１のＩＣカードとの間で通信される通信信号に含まれるＥＴＣデータの暗号化／復号化を行う暗号化／復号化手段とを含むセキュリティ処理手段と、このセキュリティ処理手段と前記ＥＴＣ処理手段とが通信するためのホストインターフェースと、前記セキュリティ処理手段と前記第１のＩＣカードとが通信するための第１のＩＣカードインターフェースとを備えたセキュリティモジュールと、前記第１のＩＣカードが挿入される第１のＩＣカードスロットとを備えたＤＳＲＣ車載器において、前記セキュリティモジュールは、前記ＥＴＣ処理手段と第２のＩＣカードとが通信するための第２のＩＣカードインターフェースと、この第２のＩＣカードインターフェースと前記ホストインターフェースとの間に接続され、この第２のＩＣカードインターフェースとこのホストインターフェースとの間で通信信号の信号形式を変換する信号変換手段とを備え、前記第２のＩＣカードが挿入される第２のＩＣカードスロットとを備えることを特徴とする。
【００２６】
この発明によれば、セキュリティモジュールの信号変換手段は、ＥＴＣ処理手段と第２のＩＣカードスロットに挿入される第２のＩＣカードとが通信するための第２のＩＣカードインターフェースとホストインターフェースとの間に接続され、この第２のＩＣカードインターフェースとこのホストインターフェースとの間で通信信号の信号形式を変換する。
【００２７】
つぎの発明にかかるＤＳＲＣ車載器にあっては、前記第２のＩＣカードスロットおよび前記第２のＩＣカードインターフェースはそれぞれ複数備えられ、これらの複数の前記第２のＩＣカードインターフェースがそれぞれ前記信号変換手段に接続されることを特徴とする。
【００２８】
この発明によれば、第２のＩＣカードスロットおよび第２のＩＣカードインターフェースはそれぞれ複数備えられ、これらの複数の第２のＩＣカードインターフェースがそれぞれ信号変換手段に接続され、これらの複数の第２のＩＣカードインターフェースとこのホストインターフェースとの間で通信信号の信号形式を変換する。
【００２９】
つぎの発明にかかるＤＳＲＣ車載器にあっては、専用狭域通信（ＤＳＲＣ）による無線通信信号を処理するＤＳＲＣ処理手段と、このＤＳＲＣ処理手段との間で通信される前記無線通信信号に含まれるＥＴＣコマンドおよびＥＴＣデータの授受を行うＥＴＣ処理手段と、このＥＴＣ処理手段と利用者情報が保持されたＩＣカードとの間で通信される通信信号に含まれるＥＴＣデータの暗号化／復号化を行う暗号化／復号化手段を含むセキュリティ処理手段と、このセキュリティ処理手段と前記ＥＴＣ処理手段とが通信するためのホストインターフェースと、前記セキュリティ処理手段と前記ＩＣカードとが通信するための第１のＩＣカードインターフェースとを備えたセキュリティモジュールと、前記ＩＣカードが挿入されるＩＣカードスロットとを備えたＤＳＲＣ車載器において、前記セキュリティモジュールは、前記ＥＴＣ処理手段と前記ＩＣカードとが通信するための第２のＩＣカードインターフェースと、この第２のＩＣカードインターフェースと前記ホストインターフェースとの間に接続され、この第２のＩＣカードインターフェースとこのホストインターフェースとの間の通信信号の信号形式を変換する信号変換手段とを備え、前記ＩＣカードスロットを前記第１のＩＣカードインターフェースおよび前記第２のＩＣカードインターフェースのいずれか一つに切り換えるスイッチを備えることを特徴とする。
【００３０】
この発明によれば、セキュリティモジュールの信号変換手段は、ＥＴＣ処理手段とＩＣカードとが通信するための第２のＩＣカードインターフェースとホストインターフェースとの間に接続され、この第２のＩＣカードインターフェースとこのホストインターフェースとの間の通信信号の信号形式を変換する。なお、スイッチが備えられ、このスイッチは、ＥＴＣ処理手段の制御によりＩＣカードスロットを第１のＩＣカードインターフェースおよび第２のＩＣカードインターフェースのいずれか一つに切り換える。
【００３１】
つぎの発明にかかるＤＳＲＣ車載器にあっては、専用狭域通信（ＤＳＲＣ）による無線通信信号を処理するＤＳＲＣ処理手段と、このＤＳＲＣ処理手段との間で通信される前記無線通信信号に含まれるＥＴＣコマンドおよびＥＴＣデータの授受を行うＥＴＣ処理手段と、このＥＴＣ処理手段と利用者情報が保持された第１のＩＣカードとの間で通信される通信信号に含まれるＥＴＣデータの暗号化／復号化を行う暗号化／復号化手段を含むセキュリティ処理手段と、このセキュリティ手段と前記ＥＴＣ処理手段とが通信するためのホストインターフェースと、前記セキュリティ処理手段と前記第１のＩＣカードとが通信するための第１のＩＣカードインターフェースとを備えたセキュリティモジュールと、前記第１のＩＣカードが挿入される第１のＩＣカードスロットとを備えたＤＳＲＣ車載器において、前記ＥＴＣ処理手段は、第２のＩＣカードと通信するための第２のＩＣカードインターフェースを備え、前記第２のＩＣカードが挿入される第２のＩＣカードスロットを備えることを特徴とする。
【００３２】
この発明によれば、ＥＴＣ処理手段に第２のＩＣカードインターフェースが備えられ、この第２のＩＣカードインターフェースと第２のＩＣカードスロットに挿入される第２のＩＣカードとが通信する。
【００３３】
つぎの発明にかかるＤＳＲＣ車載器にあっては、汎用機器と通信するためのＵＳＢインターフェースおよび／またはブルートゥースインターフェースをさらに備えることを特徴とする。
【００３４】
この発明によれば、汎用機器とＥＴＣ処理手段とが、ＵＳＢインターフェースおよび／またはブルートゥースインターフェースによって通信する。
【００３５】
【発明の実施の形態】
以下、本発明にかかるＤＳＲＣ車載器の実施の形態を図面に基づいて詳細に説明する。なお、この実施の形態によりこの発明が限定されるものではない。
【００３６】
実施の形態１．
図１は、実施の形態１にかかる従来のＥＴＣ車載器の機能を拡張したＤＳＲＣシステム用の車載器（ＤＳＲＣ車載器）の構成例を示すブロック図である。同図において、ＤＳＲＣ２１は、空中線２２を介してＥＴＣ車載器と道路側に設置される路側システム（図示せず）との間のＤＳＲＣ（Ｄｅｄｉｃａｔｅｄ　Ｓｈｏｒｔ　Ｒａｎｇｅ　Ｃｏｍｍｕｎｉｃａｔｉｏｎ：専用狭域通信）による無線通信を行う。ＥＴＣ処理部であるＨＯＳＴ２３は、路側システムとのデータ授受を行う。ＥＴＣ−ＳＡＭ（Ｓｅｃｕｒｅ　Ａｐｐｌｉｃａｔｉｏｎ　Ｍｏｄｕｌｅ）２４は、セキュリティモジュールであり、データの暗号化／復号化を行う。ＨＭＩ（ヒューマンマシンインターフェース）２５は、人間と装置とのコミュニケーションのためのインターフェースを提供する。ＩＣカードスロット２７にはＩＣカード３１が挿入され、ＩＣカードインターフェース２６は、ＩＣカードスロット２７に挿入されたＩＣカード３１とＥＴＣ−ＳＡＭ２４とが通信を行うためのインターフェースを提供する。ＥＴＣ−ＳＡＭ２４は、ＨＯＳＴ２３との間の通信インターフェースであるパラレルＩ／Ｆと、ＩＣカード３１との間の通信インターフェースであるシリアルＩ／Ｆとを変換する信号形式の変換、すなわちシリアル−パラレル変換を行う。
【００３７】
図２は、図１で示した実施の形態１にかかるＤＳＲＣ車載器の処理部であるＥＴＣ−ＳＡＭ２４の構成例を示すブロック図である。図２において、ＥＴＣ−ＳＡＭ２４は、マイクロコンピュータとしての一般的な処理部であるＣＰＵ４１、ＲＡＭ４２、ＲＯＭ４３、タイマ割込み部４４、ＵＡＲＴ（ＵｎｉｖｅｒｓａｌＡｓｙｎｃｈｒｏｎｏｕｓ　Ｒｅｃｅｉｖｅｒ　Ｔｒａｎｓｍｉｔｔｅｒ）４５などを備えている。また、ＥＴＣ−ＳＡＭ２４に固有な処理部であるＨＯＳＴインターフェース４６、ＩＣカードインターフェース２６、暗号処理部４８、乱数発生部４９などを備えている。これらのＣＰＵ４１、ＲＡＭ４２、ＲＯＭ４３、タイマ割込み部４４、ＵＡＲＴ４５、暗号処理部４８、乱数発生部４９の相互間の通信、あるいはＨＯＳＴインターフェース４６を介したＨＯＳＴ２３との間の通信は、データバス５０を通じて行われる。
【００３８】
ＥＴＣ−ＳＡＭ２４は、料金収受に必要な認証、データの暗号化／復号化を行い、ＨＯＳＴ２３との間の通信インターフェースであるパラレルＩ／Ｆと、ＩＣカード３１との間の通信インターフェースであるシリアルＩ／Ｆとの信号形式の変換、すなわちシリアル−パラレル変換を行う。ＥＴＣ−ＳＡＭ２４のＣＰＵ４１はＤＳＲＣ２１およびＩＣカード３１双方のトランザクション処理を行う。ＤＳＲＣ２１のトランザクションに関しては、ＨＯＳＴ２３に接続された周辺装置（補助装置）として、ＨＯＳＴ２３からの専用コマンドにより動作し、料金収受に必要なデータの格納、保持を制御する。ＩＣカード３１のトランザクションに関しては、ＩＣカード３１ヘの情報更新／追加を指示する。また、ＣＰＵ４１は暗号処理部４８、乱数発生部４９を制御して、データの暗号／復号／認証を行う。
【００３９】
ＨＯＳＴインターフェース４６は、ＨＯＳＴ２３とＥＴＣ−ＳＡＭ２４との間のインターフェース制御を行う。このＨＯＳＴインターフェース４６とＥＴＣの路側システムとの間の通信は、１６ビットのパラレルパスが用いられる。暗号処理部４８は、ＨＯＳＴ２３の指示を受けデータの暗号化／復号化を行う。乱数発生部４９は、暗号に必要な乱数を発生する。ＩＣカードインターフェース２６は、ＩＣカード３１とＥＴＣ−ＳＡＭ２４との間の通信制御を行う。ＩＣカード３１の脱着検知、活性化、非活性化、データの書き込み／読み出しの基本処理は、路側システムの指示により行われる。
【００４０】
図３は、実施の形態１にかかるＥＴＣ−ＳＡＭのコマンド応答のシーケンスを示すフローチャートであり、図４は、この実施の形態１にかかるＥＴＣモードと非ＥＴＣモード時のＨＯＳＴ、ＥＴＣ−ＳＡＭ、ＩＣカード間のコマンド処理シーケンスを示すシーケンス図である。
【００４１】
図３および図４において、まず、ＨＯＳＴ２３からコマンド（図４の例では、ＥＴＣコマンド５１またはＩＣカードコマンド５５）が送信され、ＥＴＣ−ＳＡＭ２４はこのコマンドを受信する（ステップＳ１１）。ＥＴＣ−ＳＡＭ２４は、送信されたコマンドがＥＴＣ制御用のコマンドであるＥＴＣコマンド５１であるか否かを判断（ステップＳ１２）し、ＥＴＣコマンド５１であると判断した場合、ＥＴＣモードの動作を行う。このＥＴＣモード時の動作は、従来技術で説明した動作である。すなわち、ＥＴＣ−ＳＡＭ２４は、ＥＴＣコマンド５１を解析し（ステップＳ１３）、ＩＣカード３１に対して実行コマンド５２を送信する（ステップＳ１４）。ＩＣカード３１はその処理結果をレスポンス５３にてＥＴＣ−ＳＡＭ２４に返送する（ステップＳ１５）。ＥＴＣ−ＳＡＭ２４は、その返送結果をＨＯＳＴ２３に対してＮｏｔｉｆｙコマンド５４により送信し（ステップＳ１６）、ＨＯＳＴ２３とＩＣカード３１との通信が完了する。
【００４２】
一方、ＥＴＣ−ＳＡＭ２４は、ＥＴＣコマンド以外の未定義コマンド（図４の例では、ＩＣカードコマンド５５）を受け付けた場合、非ＥＴＣモードの動作となる。すなわち、ＨＯＳＴ２３はＥＴＣ−ＳＡＭ２４にＩＣカードコマンド５５を送信する（ステップＳ２１）。ＥＴＣ−ＳＡＭ２４はこのＩＣカードコマンド５５の内容については一切関与せず、パラレル信号からシリアル信号への伝送形式の変換処理を行い、ＩＣカード３１へ、この伝送形式が変換されたＩＣカードコマンド５５を送信する。ＩＣカード３１はその処理結果をレスポンス５６にてＥＴＣ−ＳＡＭ２４に返送する（ステップＳ２２）。ＥＴＣ−ＳＡＭ２４は、その返送結果であるレスポンス５６の内容についても一切関与せず、今度はシリアル信号からパラレル信号への変換処理を行い、ＨＯＳＴ２３に対して変換されたレスポンス５６を送信し（ステップＳ２３）、ＨＯＳＴ２３とＩＣカード３１との通信が完了する。なお、上述したＥＴＣコマンドであるか否かの判定やコマンドを解析するか否かの制御処理は、ＥＴＣ−ＳＡＭ２４に備えられたＣＰＵ４１が行う。
【００４３】
このように実施の形態１によれば、ＨＯＳＴ２３と利用者情報が保持されたＩＣカード３１との間で通信される通信信号に含まれるコマンドがＥＴＣコマンドであるか否かを判定し、このコマンドがＥＴＣコマンドではない未定義コマンドであると判定した場合には、この未定義コマンドを解析することなくＩＣカード３１に送信するようにしているので、通信手順の簡素化、通信時間の短縮化が可能となる。また、ＥＴＣシステム以外のアプリケーションに、このＥＴＣ−ＳＡＭ２４のチップを活用できるので、組み込むアプリケーションに依存しないＤＳＲＣシステムを実現するとともに、ＥＴＣ車載器をベースとしたＤＳＲＣ車載器としての市場の拡大を図ることができる。
【００４４】
また、この実施の形態１によれば、簡易な構成手段の追加により、組み込むアプリケーションに依存しないＤＳＲＣ車載器を構築できるで、ＥＴＣ車載器をベースとしたＤＳＲＣ車載器の市場の拡大をより経済的に実現することができる。
【００４５】
実施の形態２．
この実施の形態２は、図２に示したＥＴＣ−ＳＡＭ２４が、実施の形態１で詳述したＥＴＣモードと非ＥＴＣモードとで動作するとともに、非ＥＴＣモードは、複数のモード（たとえば、シリアル−パラレル変換モード、暗号／復号モード等）で動作することを特徴とする。なお、この実施の形態２にかかるＥＴＣ−ＳＡＭ２４の構成は、図２で示したＥＴＣ−ＳＡＭ２４の構成と同等である。
【００４６】
図５は、実施の形態２にかかるＥＴＣ−ＳＡＭ２４のモードエントリー手順を示すフローチャートであり、図６は、この実施の形態２にかかる暗号／復号モード時のＨＯＳＴ、ＥＴＣ−ＳＡＭ、ＩＣカード間のコマンド処理シーケンスを示すシーケンス図である。
【００４７】
まず、図５において、ＨＯＳＴ２３からモードエントリーコマンドが送信され、ＥＴＣ−ＳＡＭ２４はこのモードエントリーコマンドを受信する（ステップＳ３１）。ＥＴＣ−ＳＡＭ２４は、送信されたモードエントリーコマンドを確認しどのモードへ移行するのかを判定する（ステップＳ３２）。このモードエントリーコマンドがＥＴＣモードへの移行指示であればＥＴＣモードに設定され（ステップＳ３３）、従来技術にあるようなＥＴＣ制御用のコマンドであるか否かを解析して、そのコマンド処理に関与するか否かを決定する動作を行う。
【００４８】
非ＥＴＣモードは、たとえば、シリアル−パラレル変換モード（ステップＳ３４）と暗号／復号モード（ステップＳ３５）との２つのモードがある。シリアル−パラレル変換モードは実施の形態１の非ＥＴＣモードと同等のモードであり、ＨＯＳＴ２３とＩＣカード３１とのデータ通信に関してＥＴＣ−ＳＡＭ２４は一切関与せずにデータのシリアル−パラレル変換のみ行うモードである。暗号／復号モードは、図６に示すように、ＨＯＳＴ２３のデータの暗号化／復号化要求に対し、ＥＴＣ−ＳＡＭ２４はこのデータの暗号化／復号化を行い、ＩＣカード３１に対するコマンドについてはＥＴＣ−ＳＡＭ２４は一切関与せずデータのシリアル−パラレル変換だけを行うモードである。ＥＴＣ−ＳＡＭ２４は各モードにエントリーされた後、一連の処理が終了するとＥＴＣモードに復帰する処理を行う。なお、これらのコマンドの判定、コマンドの処理、モードの設定、モードの復帰などの制御処理は、ＥＴＣ−ＳＡＭ２４に備えられたＣＰＵ４１が行う。
【００４９】
つぎに、図６を用いて、暗号／復号モード時のコマンドシーケンスについて説明する。まず、ＨＯＳＴ２３からモードエントリーコマンド６１が送信され、ＥＴＣ−ＳＡＭ２４は、送信されたモードエントリーコマンドが暗号／復号モードへの移行コマンドであると判断し、モードを暗号／復号モードに設定する。これ以降、暗号／復号モードでの動作が行われる。したがって、つぎに送信されたＩＣカードコマンド６２に対して、ＥＴＣ−ＳＡＭ２４は、このＩＣカードコマンド６２の内容については一切関与せず、パラレル信号からシリアル信号への伝送形式の変換処理だけを行い、ＩＣカード３１へ、この伝送形式が変換されたＩＣカードコマンド６２を送信する。ＩＣカード３１はその処理結果をレスポンス６３にてＥＴＣ−ＳＡＭ２４に返送する。ＥＴＣ−ＳＡＭ２４は、その返送結果であるレスポンス６３の内容についても一切関与せず、今度はシリアル信号からパラレル信号への変換処理を行い、ＨＯＳＴ２３に対して変換されたレスポンス６３を送信する。
【００５０】
ＨＯＳＴ２３では、ＩＣカード３１から送信されたレスポンス６３の内容を暗号化するためにＥＴＣ−ＳＡＭ２４に対してデータを含んだ暗号化要求６４を送信する。ＥＴＣ−ＳＡＭ２４はこの暗号化要求６４の処理結果である暗号化データ６５をＨＯＳＴ２３に対して送信する。この暗号化データ６５はＤＳＲＣ２１を介して図示しない路側システムに送信される。この暗号化動作と対になる復号動作についても同様な手順で実施される。すなわち、復号要求と復号データの送受がＨＯＳＴ２３とＥＴＣ−ＳＡＭ２４との間で実施され、ＨＯＳＴ２３からＩＣカード３１へこの復号データが送信される。この際、ＥＴＣ−ＳＡＭ２４は、パラレル信号からシリアル信号への伝送形式の変換処理だけを行う。
【００５１】
このように実施の形態２によれば、ＨＯＳＴ２３から送信されたモードエントリーコマンドに基づいて、ＨＯＳＴ２３から送信されるコマンドを解析しかつＨＯＳＴ２３とＩＣカード３１との間でＥＴＣデータの暗号化／復号化を行うＥＴＣモードと、ＨＯＳＴ２３から送信されるコマンドが未定義コマンドの場合に、この未定義コマンドを解析することなくＩＣカード３１に送信する非ＥＴＣモードとを備えるようにしているので、通信手順の簡素化、通信時間の短縮化が可能となる。また、ＥＴＣシステム以外のアプリケーションに、このＥＴＣ−ＳＡＭのチップを活用できるので、組み込むアプリケーションに依存しないＤＳＲＣシステムを実現するとともに、ＥＴＣ車載器をベースとしたＤＳＲＣ車載器としての市場の拡大を図ることができる。
【００５２】
また、この実施の形態２によれば、簡易な構成手段の追加により、組み込むアプリケーションに依存しないＤＳＲＣ車載器を構築できるで、ＥＴＣ車載器をベースとしたＤＳＲＣ車載器の市場の拡大をより経済的に実現することができる。
【００５３】
実施の形態３．
この実施の形態３は、実施の形態２で詳述した複数のモード（たとえば、ＥＴＣモード、暗号／復号モード、シリアル−パラレル変換モード）、を備えたＥＴＣ−ＳＡＭ２４において、ＥＴＣ−ＳＡＭ２４のモードを決定するのに、ＤＳＲＣ２１と図示しない路側システムは通信する周波数によってモードを決定することを特徴とする。なお、この実施の形態３にかかるＥＴＣ−ＳＡＭ２４の構成は、図２で示したＥＴＣ−ＳＡＭ２４の構成と同等である。
【００５４】
図７は、実施の形態３にかかるモードエントリーの処理シーケンスを示すシーケンス図である。ＤＳＲＣシステムでは、アプリケーションによって使用する周波数帯が異なるのが一般的であり、この異なる周波数帯を利用してアプリケーションを識別することができる。いま、ＤＳＲＣ車載器が、アプリケーションの通信ゾーンに入ると、ＨＯＳＴ２３は図示しない路側システムと周波数選定７１に関するデータの送受を行う。その後、ＨＯＳＴ２３はＥＴＣ−ＳＡＭ２４に対し、周波数帯によって識別されたアプリケーションを処理するためのモードエントリーコマンド７２を送信する。各モードでの動作は、実施の形態２で説明した内容と同一なので説明を省略する。ＥＴＣ−ＳＡＭ２４は各モードにエントリーされた後、一連の処理が終了するとＥＴＣモードに復帰する処理を行う。なお、これらのコマンドの判定、コマンドの処理、モードの設定、モードの復帰などの制御処理は、実施の形態２と同様にＥＴＣ−ＳＡＭ２４に備えられたＣＰＵ４１が行う。
【００５５】
このように実施の形態３によれば、モード専用狭域通信（ＤＳＲＣ）で使用される周波数に基づいてアプリケーションを識別し、ＥＴＣ処理手段から送信されるモードエントリーコマンド７２にしたがって識別されたアプリケーションを実行するための所定のモードを設定するようにしているので、ＥＴＣシステム以外の複数のアプリケーションに、このＥＴＣ−ＳＡＭ２４のチップを活用できるので、組み込むアプリケーションに依存しないＤＳＲＣシステムを実現するとともに、ＥＴＣ車載器をベースとしたＤＳＲＣ車載器としての市場の拡大を図ることができる。
【００５６】
また、この実施の形態３によれば、簡易な構成手段の追加により、組み込むアプリケーションに依存しないＤＳＲＣ車載器を構築できるで、ＥＴＣ車載器をベースとしたＤＳＲＣ車載器の市場の拡大をより経済的に実現することができる。
【００５７】
実施の形態４．
この実施の形態４は、実施の形態２で詳述した複数のモード（たとえば、ＥＴＣモード、暗号／復号モード、シリアル−パラレル変換モード）、を備えたＥＴＣ−ＳＡＭ２４において、ＥＴＣ−ＳＡＭ２４のモードを決定するのに、使用するＩＣカードによってモードを決定することを特徴とする。なお、この実施の形態４にかかるＥＴＣ−ＳＡＭ２４の構成は、図２で示したＥＴＣ−ＳＡＭ２４の構成と同等である。
【００５８】
図８は、実施の形態４にかかるモードエントリーの処理シーケンスを示すシーケンス図である。ＤＳＲＣシステムでは、アプリケーションによって使用するＩＣカード３１が異なるのが一般的であり、この異なるＩＣカード３１を利用してアプリケーションを識別することができる。いま、ＤＳＲＣ車載器にＩＣカード３１を挿入した場合、ＨＯＳＴ２３はＥＴＣ−ＳＡＭ２４に対してローカルコマンドであるＩＣカード活性化コマンド８１を送信する。ＥＴＣ−ＳＡＭ２４は、そのコマンドを解析し、ＩＣカードの活性化処理８２をＩＣカード３１に対して実行する。ＩＣカード３１は、その実行結果であるレスポンス８３をＥＴＣ−ＳＡＭ２４に対して返送し、ＥＴＣ−ＳＡＭ２４はＨＯＳＴ２３に対してＮｏｔｉｆｙコマンド８４により結果を返送する。この時点で、ＨＯＳＴ２３はＤＳＲＣ車載器に挿入されたＩＣカード３１の種類を識別することができる。
【００５９】
ＨＯＳＴ２３はＩＣカード３１の種類を識別した後、ＥＴＣ−ＳＡＭ２４に対してモードエントリーコマンド８５を送信する。各モードでの動作は、実施の形態２で説明した内容と同一なので説明を省略する。ＥＴＣ−ＳＡＭ２４は各モードにエントリーされた後、一連の処理が終了するとＥＴＣモードに復帰する処理を行う。なお、これらのコマンドの判定、コマンドの処理、モードの設定、モードの復帰などの制御処理は、実施の形態２と同様にＥＴＣ−ＳＡＭ２４に備えられたＣＰＵ４１が行う。
【００６０】
このように実施の形態４によれば、ＩＣカードが活性化されたか否かを検出し、検出されたＩＣカード活性化信号に基づいてＩＣカードを識別した後、ＥＴＣ処理手段から送信されるモードエントリーコマンドにしたがってＩＣカードに対する処理を実行するための所定のモードを設定するようにしているので、ＥＴＣシステム以外の複数のアプリケーションに、このＥＴＣ−ＳＡＭ２４のチップを活用できるので、組み込むアプリケーションに依存しないＤＳＲＣシステムを実現するとともに、ＥＴＣ車載器をベースとしたＤＳＲＣ車載器としての市場の拡大を図ることができる。
【００６１】
また、この実施の形態４によれば、簡易な構成手段の追加により、組み込むアプリケーションに依存しないＤＳＲＣ車載器を構築できるで、ＥＴＣ車載器をベースとしたＤＳＲＣ車載器の市場の拡大をより経済的に実現することができる。
【００６２】
実施の形態５．
図９は、実施の形態５にかかるＥＴＣ−ＳＡＭ９０の構成例を示すブロック図である。図２に示すＥＴＣ−ＳＡＭ２４にＩＣカードインターフェース９１をさらに設け、ＤＳＲＣ車載器にＩＣカード９２、ＩＣカードスロット９４、シリアル−パラレル変換回路９５を設けたところが、実施の形態１〜４と異なる。その他の構成については、図２と同一であり、同一部分には同一符号を付して示している。
【００６３】
この実施の形態５は、実施の形態２で詳述した複数のモード（たとえば、ＥＴＣモード、暗号／復号モード、シリアル−パラレル変換モード）を備えたＥＴＣ−ＳＡＭ２４において、使用するＩＣカードスロットによってＥＴＣ−ＳＡＭ２４のモードが決定されることを特徴としている。
【００６４】
図９において、追加したＩＣカードインターフェース９１はシリアル−パラレル変換回路９５を介してＨＯＳＴインターフェース４６に接続されている。ＤＳＲＣ車載器に追加したＩＣカードスロット９４は、ＩＣカード９２を挿入することができる。このように、ＥＴＣ−ＳＡＭ９０にＩＣカードインターフェースを複数（実施例では２式）設けることにより、ＩＣカードインターフェース２６は従来のインターフェースでＨＯＳＴ２３と通信でき、ＩＣカードインターフェース９１はＥＴＣ−ＳＡＭ９０の機能を活用せずにシリアル−パラレル変換回路９５を介してＨＯＳＴ２３と通信することができる。このように、ＩＣカードスロット９４はＨＯＳＴインターフェース４６を介してＨＯＳＴ２３と直接通信する形態となっているため、ＥＴＣ−ＳＡＭ９０の機能を活用しない動作を行う。なお、ＥＴＣ−ＳＡＭ９０のモードの設定は実施の形態２と同様に、ＨＯＳＴ２３からＥＴＣ−ＳＡＭ９０へのエントリーコマンドによって設定される。
【００６５】
このように実施の形態５によれば、ＨＯＳＴ２３とＩＣカード９２とが通信するためのＩＣカードインターフェース９１と、ＩＣカード９２が挿入されるＩＣカードスロット９４と、ＩＣカードインターフェース９１とＨＯＳＴインターフェース４６との間の通信信号の信号形式を変換するシリアル−パラレル変換回路９５を備え、ＩＣカードインターフェース９１が、信号変換手段を介してＨＯＳＴインターフェース４６に接続されており、ＥＴＣシステム以外の複数のアプリケーションに、このＥＴＣ−ＳＡＭ９０のチップを活用できるので、組み込むアプリケーションに依存しないＤＳＲＣシステムを実現するとともに、ＥＴＣ車載器をベースとしたＤＳＲＣ車載器としての市場の拡大を図ることができる。
【００６６】
また、この実施の形態５によれば、簡易な構成手段の追加により、組み込むアプリケーションに依存しないＤＳＲＣ車載器を構築できるで、ＥＴＣ車載器をベースとしたＤＳＲＣ車載器の市場の拡大をより経済的に実現することができる。
【００６７】
なお、この実施の形態５では、ＩＣカード９２がＥＴＣ−ＳＡＭ９０を介さずにＨＯＳＴインターフェース４６を通じてＨＯＳＴ２３と直接通信する例を示したが、一つのＩＣカードに留まるものではなく複数のＩＣカードを備え、これらのＩＣカードがＨＯＳＴインターフェース４６を通じてＨＯＳＴ２３と通信することも可能である。この場合、これらのＩＣカードに対応したＩＣカードスロット、ＩＣカードインターフェース、シリアル−パラレル変換回路を用い、ＨＯＳＴインターフェースに接続すればよい。
【００６８】
実施の形態６．
図１０は、実施の形態６にかかるＥＴＣ−ＳＡＭ１００の構成例を示すブロック図である。図９に示すＥＴＣ−ＳＡＭ９０において、スイッチ１０２を設け、ＩＣカードスロット２７とＩＣカードインターフェース２６、９１との接続をスイッチ１０２で切り換える構成としている。その他の構成については、図９と同一であり、同一部分には同一符号を付して示している。
【００６９】
図１０において、追加したスイッチ１０２の第１の端子１０４にはＩＣカードスロット２７が接続され、第２の端子１０５にはＩＣカードインターフェース２６が接続され、第３の端子１０６にはＩＣカードインターフェース９１が接続されている。
【００７０】
実施の形態４で詳述した手順に従って、ＨＯＳＴ２３はＩＣカード３１を活性化させた後、ＥＴＣ−ＳＡＭ１００の機能を使用するか否かを判断し、制御信号をスイッチ１０２に出力する。ＥＴＣ−ＳＡＭ１００の機能を使用する場合には、スイッチ１０２の第１の端子１０４と第２の端子１０５とが接続されＥＴＣ−ＳＡＭ１００の機能が活用される。この場合の動作の詳細については、実施の形態１で詳述したとおりであり説明を省略する。
【００７１】
一方、ＥＴＣ−ＳＡＭ１００の機能を使用しない場合には、スイッチ１０２の第１の端子１０４と第３の端子１０６とが接続されＥＴＣ−ＳＡＭ１００の機能を活用せずにシリアル−パラレル変換回路９５を介してＨＯＳＴ２３と直接通信することができる。
【００７２】
このように実施の形態６によれば、ＨＯＳＴ２３とＩＣカード３１とが通信するためのＩＣカードインターフェース９１と、ＩＣカードスロット２７が接続される第１の端子１０４、第１のＩＣカードインターフェース２６が接続される第２の端子１０５および第２のＩＣカードインターフェース９１が接続される第３の端子１０６を備えるスイッチ１０２と、第２のＩＣカードインターフェース９１とＨＯＳＴインターフェース４６との間に接続され、第２のＩＣカードインターフェース９１とＨＯＳＴインターフェース４６との間の通信信号の信号形式を変換するシリアル−パラレル変換回路９５とを備え、ＥＴＣ処理手段の制御により、ＥＴＣ−ＳＡＭ１００の機能を使用する場合にはＩＣカードスロット２７と第１のＩＣカードインターフェース２６とを接続し、ＥＴＣ−ＳＡＭ１００の機能を使用しない場合にはＩＣカードスロット２７と第２のＩＣカードインターフェース９１とを接続するように制御され、ＥＴＣシステム以外の複数のアプリケーションに、このＥＴＣ−ＳＡＭ１００のチップを活用できるので、組み込むアプリケーションに依存しないＤＳＲＣシステムを実現するとともに、ＥＴＣ車載器をベースとしたＤＳＲＣ車載器としての市場の拡大を図ることができる。
【００７３】
また、この実施の形態６によれば、簡易な構成手段の追加により、組み込むアプリケーションに依存しないＤＳＲＣ車載器を構築できるで、ＥＴＣ車載器をベースとしたＤＳＲＣ車載器の市場の拡大をより経済的に実現することができる。
【００７４】
実施の形態７．
図１１は、実施の形態７にかかるＥＴＣ−ＳＡＭ１０１の構成例を示すブロック図である。図９に示すＥＴＣ−ＳＡＭ９０において、第２のＩＣカードスロット９４と接続するＩＣカードインターフェース１０３を、ＨＯＳＴ２３の内部に備える構成としている。その他の構成については、図９と同一であり、同一部分には同一符号を付して示している。
【００７５】
図１１において、ＩＣカード９２が挿入されるＩＣカードスロット９４はＨＯＳＴ２３の内部に備えられたＩＣカードインターフェース１０３を通じてＨＯＳＴ２３と通信することができる。なお、実施の形態５と同様に、ＨＯＳＴ２３からエントリーコマンドにより、使用するＩＣカードスロットを識別したＥＴＣ−ＳＡＭ１０１のモードが決定される。なお、動作の詳細については、実施の形態５で詳述したとおりであり、ここでの説明は省略する。
【００７６】
このように実施の形態７によれば、ＨＯＳＴ２３にＩＣカード９２と通信するための第２のＩＣカードインターフェースが備られ、第２のＩＣカードが挿入される第２のＩＣカードスロットと接続されることにより、ＥＴＣシステム以外の複数のアプリケーションに、このＥＴＣ−ＳＡＭ１０１のチップを活用できるので、組み込むアプリケーションに依存しないＤＳＲＣシステムを実現するとともに、ＥＴＣ車載器をベースとしたＤＳＲＣ車載器としての市場の拡大を図ることができる。
【００７７】
また、この実施の形態７によれば、簡易な構成手段の追加により、組み込むアプリケーションに依存しないＤＳＲＣ車載器を構築できるで、ＥＴＣ車載器をベースとしたＤＳＲＣ車載器の市場の拡大をより経済的に実現することができる。
【００７８】
実施の形態８．
図１２は、実施の形態８にかかるＤＳＲＣ車載器の構成例を示すブロック図である。図１のＤＳＲＣ車載器において、ＤＳＲＣ車載器に携帯電話９９と通信するためのＢｌｕｅ　Ｔｏｏｔｈインターフェース９８、ＰＣ９７ａ、カーナビ９７ｂと通信するためのＵＳＢインターフェース９６を設けている。その他の構成については、図１と同一であり、同一部分には同一符号を付して示している。
【００７９】
Ｂｌｕｅ　ｔｏｏｔｈとは、比較的狭い範囲での音声およびデータのワイヤレス通信を、携帯電話、携帯端末、プリンタ、スキャナ、デジタルカメラ、さらには家電製品の間で実現する先端テクノロジーのための一般公開された規格である。
【００８０】
図１２に示すように、追加するＵＳＢインターフェース９６やＢｌｕｅ　Ｔｏｏｔｈインターフェース９８はＥＴＣ−ＳＡＭ２４を介さずに直接ＨＯＳＴ２３に接続する構成としている。
【００８１】
このように実施の形態８によれば、ＤＳＲＣ車載器にＵＳＢインターフェース９６やＢｌｕｅ　Ｔｏｏｔｈインターフェース９８を備えることにより、ＰＣ９７ａへの接続、カーナビ９７ｂへの接続、携帯電話９９との通信が可能となり、ＥＴＣ車載器をベースとしたＤＳＲＣ車載器としての市場の拡大を図ることができる。
【００８２】
【発明の効果】
以上説明したとおり、この発明によれば、セキュリティ処理手段のコマンド判定手段が、ＥＴＣ処理手段と利用者情報が保持されたＩＣカードとの間で通信される通信信号に含まれるコマンドの種類を判定し、セキュリティ処理手段のコマンド制御手段は、コマンド判定手段の判定結果に応じて、このコマンドを解析するか否かを制御するようにしているので、通信手順の簡素化、通信時間の短縮化が可能となり、組み込むアプリケーションに依存しないＤＳＲＣシステムを実現し、ＥＴＣ車載器をベースとしたＤＳＲＣ車載器としての市場の拡大をより経済的に実現することができるという効果を奏する。
【００８３】
つぎの発明によれば、コマンド判定手段は、ＥＴＣ処理手段と利用者情報が保持されたＩＣカードとの間で通信される通信信号に含まれるコマンドがＥＴＣコマンドであるか否かを判定し、コマンド制御手段は、このコマンド判定手段によって判定されたコマンドがＥＴＣコマンドである場合には、このＥＴＣコマンドを解析して得られた実行コマンドをＩＣカードに送信し、一方、コマンド判定手段によって判定されたコマンドがＥＴＣコマンドではない未定義コマンドである場合には、この未定義コマンドを解析することなくＩＣカードに送信するようにしているので、通信手順の簡素化、通信時間の短縮化が可能となり、組み込むアプリケーションに依存しないＤＳＲＣシステムを実現し、ＥＴＣ車載器をベースとしたＤＳＲＣ車載器としての市場の拡大をより経済的に実現することができるという効果を奏する。
【００８４】
つぎの発明によれば、ＥＴＣモードと、非ＥＴＣモードとの複数のモードが備えられる。ＥＴＣモードは、ＥＴＣ処理手段から送信される通信信号に含まれるコマンドを解析し、かつ、ＥＴＣ処理手段と利用者情報が保持されたＩＣカードとの間で通信される通信信号に含まれるＥＴＣデータの暗号化／復号化を行い、非ＥＴＣモードは、ＥＴＣ処理手段から送信される通信信号に含まれるコマンドがＥＴＣコマンドではない未定義コマンドであると判定した場合に、この未定義コマンドを解析することなくＩＣカードに送信する。セキュリティ処理手段のモード設定手段は、ＥＴＣ処理手段から送信されたモードエントリーコマンドに基づいてこの複数のモードを設定するようにしているので、通信手順の簡素化、通信時間の短縮化が可能となり、組み込むアプリケーションに依存しないＤＳＲＣシステムを実現し、ＥＴＣ車載器をベースとしたＤＳＲＣ車載器としての市場の拡大をより経済的に実現することができるという効果を奏する。
【００８５】
つぎの発明によれば、非ＥＴＣモードの一方の暗号／復号モードは、ＥＴＣ処理手段からのデータの暗号化／復号化要求を受け、セキュリティ処理手段がデータの暗号化／復号化を行い、ＥＴＣ処理手段にデータの暗号化データ／復号化データを送信し、非ＥＴＣモードの他方のシリアル−パラレル変換モードは、ＥＴＣ処理手段とＩＣカードとのデータ通信に関してデータの信号形式の変換を行うようにしているので、という効果を奏する。
【００８６】
つぎの発明によれば、ＥＴＣ処理手段は、専用狭域通信（ＤＳＲＣ）に使用される周波数帯に基づいてアプリケーションを識別し、セキュリティ処理手段のモード設定手段は、ＥＴＣ処理手段から送信されるモードエントリーコマンドにしたがって識別されたアプリケーションを実行する際に、ＥＴＣモード、暗号／復号モードおよびシリアル−パラレル変換モードのいずれか一つのモードを設定するようにしているので、通信手順の簡素化、通信時間の短縮化が可能となり、組み込むアプリケーションに依存しないＤＳＲＣシステムを実現し、ＥＴＣ車載器をベースとしたＤＳＲＣ車載器としての市場の拡大をより経済的に実現することができるという効果を奏する。
【００８７】
つぎの発明によれば、セキュリティ処理手段のＩＣカード活性化検出手段は、ＩＣカードが活性化されたか否かを検出し、ＥＴＣ処理手段は、ＩＣカード活性化検出手段から送信されたＩＣカード活性化信号に基づいてＩＣカードを識別し、セキュリティ処理手段のモード設定手段は、ＥＴＣ処理手段から送信されるモードエントリーコマンドにしたがって識別されたＩＣカードに対する処理を実行する際に、ＥＴＣモード、暗号／復号モードおよびシリアル−パラレル変換モードのいずれか一つのモードを設定するようにしているので、通信手順の簡素化、通信時間の短縮化が可能となり、組み込むアプリケーションに依存しないＤＳＲＣシステムを実現し、ＥＴＣ車載器をベースとしたＤＳＲＣ車載器としての市場の拡大をより経済的に実現することができるという効果を奏する。
【００８８】
つぎの発明によれば、セキュリティモジュールの信号変換手段は、ＥＴＣ処理手段と第２のＩＣカードスロットに挿入される第２のＩＣカードとが通信するための第２のＩＣカードインターフェースとホストインターフェースとの間に接続され、この第２のＩＣカードインターフェースとこのホストインターフェースとの間で通信信号の信号形式を変換するようにしているので、通信手順の簡素化、通信時間の短縮化が可能となり、組み込むアプリケーションに依存しないＤＳＲＣシステムを実現し、ＥＴＣ車載器をベースとしたＤＳＲＣ車載器としての市場の拡大をより経済的に実現することができるという効果を奏する。
【００８９】
つぎの発明によれば、第２のＩＣカードスロットおよび第２のＩＣカードインターフェースはそれぞれ複数備えられ、これらの複数の第２のＩＣカードインターフェースがそれぞれ信号変換手段に接続され、これらの複数の第２のＩＣカードインターフェースとこのホストインターフェースとの間で通信信号の信号形式を変換するようにしているので、通信手順の簡素化、通信時間の短縮化が可能となり、組み込むアプリケーションに依存しないＤＳＲＣシステムを実現し、ＥＴＣ車載器をベースとしたＤＳＲＣ車載器としての市場の拡大をより経済的に実現することができるという効果を奏する。
【００９０】
つぎの発明によれば、セキュリティモジュールの信号変換手段は、ＥＴＣ処理手段とＩＣカードとが通信するための第２のＩＣカードインターフェースとホストインターフェースとの間に接続され、この第２のＩＣカードインターフェースとこのホストインターフェースとの間の通信信号の信号形式を変換する。なお、スイッチが備えられ、このスイッチは、ＥＴＣ処理手段の制御によりＩＣカードスロットを第１のＩＣカードインターフェースおよび第２のＩＣカードインターフェースのいずれか一つに切り換えるようにしているので、通信手順の簡素化、通信時間の短縮化が可能となり、組み込むアプリケーションに依存しないＤＳＲＣシステムを実現し、ＥＴＣ車載器をベースとしたＤＳＲＣ車載器としての市場の拡大をより経済的に実現することができるという効果を奏する。
【００９１】
つぎの発明によれば、ＥＴＣ処理手段に第２のＩＣカードインターフェースが備えられ、この第２のＩＣカードインターフェースと第２のＩＣカードスロットに挿入される第２のＩＣカードとが通信するようにしているので、通信手順の簡素化、通信時間の短縮化が可能となり、組み込むアプリケーションに依存しないＤＳＲＣシステムを実現し、ＥＴＣ車載器をベースとしたＤＳＲＣ車載器としての市場の拡大をより経済的に実現することができるという効果を奏する。
【００９２】
つぎの発明によれば、汎用機器とＥＴＣ処理手段とが、ＵＳＢインターフェースおよび／またはブルートゥースインターフェースによって通信するようにしているので、ＰＣへの接続、カーナビへの接続、携帯電話との通信が可能となり、ＥＴＣ車載器をベースとしたＤＳＲＣ車載器としての市場の拡大を図ることができるという効果を奏する。
【図面の簡単な説明】
【図１】実施の形態１にかかる従来のＥＴＣ車載器の機能を拡張したＤＳＲＣシステム用の車載器（ＤＳＲＣ車載器）の構成例を示すブロック図である。
【図２】図１で示した実施の形態１にかかるＤＳＲＣ車載器の処理部であるＥＴＣ−ＳＡＭの構成例を示すブロック図である。
【図３】実施の形態１にかかるＥＴＣ−ＳＡＭのコマンド応答のシーケンスを示すフローチャートである。
【図４】この実施の形態１にかかるＥＴＣモードと非ＥＴＣモード時のＨＯＳＴ、ＥＴＣ−ＳＡＭ、ＩＣカード間のコマンド処理シーケンスを示すシーケンス図である。
【図５】実施の形態２にかかるＥＴＣ−ＳＡＭのモードエントリー手順を示すフローチャートである。
【図６】この実施の形態２にかかる暗号／復号モード時のＨＯＳＴ、ＥＴＣ−ＳＡＭ、ＩＣカード間のコマンド処理シーケンスを示すシーケンス図である。
【図７】実施の形態３にかかるモードエントリーの処理シーケンスを示すシーケンス図である。
【図８】実施の形態４にかかるモードエントリーの処理シーケンスを示すシーケンス図である。
【図９】実施の形態５にかかるＥＴＣ−ＳＡＭの構成例を示すブロック図である。
【図１０】実施の形態６にかかるＥＴＣ−ＳＡＭの構成例を示すブロック図である。
【図１１】実施の形態７にかかるＥＴＣ−ＳＡＭの構成例を示すブロック図である。
【図１２】実施の形態８にかかるＤＳＲＣ車載器の構成例を示すブロック図である。
【図１３】従来技術によるＤＳＲＣシステムの一つであるＥＴＣシステムの車両側に搭載されるＥＴＣ車載器の構成例を示すブロック図である。
【図１４】従来技術による路側システム、ＥＴＣ車載器、ＩＣカード間のコマンド処理シーケンスを示すシーケンス図である。
【図１５】従来技術によるＥＴＣ−ＳＡＭのコマンド応答のシーケンスを示すフローチャートである。
【符号の説明】
２１，１２１　ＤＳＲＣ、２２，１２２　空中線、２３，１２３　ＨＯＳＴ、２４，９０，１００，１０１，１２４　ＥＴＣ−ＳＡＭ、２５，１２５　ＨＭＩ、２６，１２６　ＩＣカードインターフェース、２７　ＩＣカードスロット、３１，１３１　ＩＣカード、４１　ＣＰＵ、４２　ＲＡＭ、４３　ＲＯＭ、４４　タイマ割り込み部、４５　ＵＡＲＴ、４６　ＨＯＳＴインターフェース、４８　暗号処理部、４９　乱数発生部、５０　データバス、５１，１５２　ＥＴＣコマンド、５２，１５３　実行コマンド、５３，５６，６３，８３，１５４　レスポンス、５４，８４，１５５　Ｎｏｔｉｆｙコマンド、６２　ＩＣカードコマンド、６１　モードエントリーコマンド、６４　暗号化要求、６５　暗号化データ、７１　周波数選定、７２，８５　モードエントリーコマンド、８１　ＩＣカード活性化コマンド、８２　活性化処理、９１、１０３　ＩＣカードインターフェース、９２　ＩＣカード、９４　ＩＣカードスロット、９５　シリアル−パラレル変換回路、９６　ＵＳＢインターフェース、９７ａ　ＰＣ、９７ｂ　カーナビ、９８　Ｂｌｕｅ　Ｔｏｏｔｈインターフェース、９９　携帯電話、１０２　スイッチ、１０４　第１の端子、１０５　第２の端子、１０６　第３の端子、１５１
プリミティブコマンド。
【図１】
2004062468.tif 000003
【図２】
2004062468.tif 000004
【図３】
2004062468.tif 000005
【図４】
2004062468.tif 000006
【図５】
2004062468.tif 000007
【図６】
2004062468.tif 000008
【図７】
2004062468.tif 000009
【図８】
2004062468.tif 000010
【図９】
2004062468.tif 000011
【図１０】
2004062468.tif 000012
【図１１】
2004062468.tif 000013
【図１２】
2004062468.tif 000014
【図１３】
2004062468.tif 000015
【図１４】
2004062468.tif 000016
【図１５】
2004062468.tif 000017